(57)【要約】  他の装置との間の通信及び自己の少なくとも一部の温度調整を両立させつつ、処理装置の備える端子数を削減することが課題である。この課題を解決するために、処理装置は、温度制御信号生成部と、データ信号生成部と、送信用信号生成部と、送付部とを備える。前記温度制御信号生成部は、前記温度制御手段以外の自己と通信を行う他の装置に前記温度制御信号を識別させるための識別情報を付加した、温度制御手段に送るための温度制御信号、の生成を行う。データ信号生成部は、前記他の装置に送るための通信用データ信号の生成を行う。送信用信号生成部は、前記温度制御信号と前記データ信号とを重ね合わせた送信用信号を生成する。送付部は、前記送信用信号を前記温度制御手段及び前記他の装置に送付する。
2017033439.tif 000002
【特許請求の範囲】
【請求項１】
自己の少なくとも一部に温度調整用出力を行い、入力される入力信号を前記温度調整用出力に変換する過程において、前記入力信号或いは前記入力信号を処理した信号のうちの少なくとも一の信号に対し低域は通過する高域遮断処理を行う、温度制御手段、に送るための、前記温度制御手段以外の自己と通信を行う他の装置に前記温度制御信号を識別させるための識別情報を付加した、温度制御信号、の生成を行う温度制御信号生成手段と、
前記他の装置に送るための通信用データ信号の生成を行うデータ信号生成手段と、
前記温度制御信号と前記データ信号とを重ね合わせた送信用信号を生成する送信用信号生成手段と、
前記送信用信号を前記温度制御手段及び前記他の装置に送付する送付手段と
を備える、処理装置。
【請求項２】
前記温度制御手段が、前記温度調整用出力を行う温度調整手段と、前記温度調整手段を駆動する駆動手段とを備え、前記駆動手段は前記温度調整手段に対し駆動電圧を印加する、請求項１に記載された処理装置。
【請求項３】
前記温度調整手段が熱電変換素子であり、前記温度調整用出力が前記少なくとも一部に影響を及ぼす温度である、請求項２に記載された処理装置。
【請求項４】
前記高域遮断処理が、前記温度制御手段が、前記温度制御手段に入力される通信用データ信号の信号平滑化を行う信号平滑化処理を含む、請求項１乃至請求項３のうちのいずれか一に記載された処理装置。
【請求項５】
前記高域遮断処理が、前記温度制御手段が、前記温度調整手段において、前記駆動電圧を前記温度調整用出力に変換する際に行われる前記温度調整用出力の平滑化処理を含む、請求項２乃至請求項４のうちのいずれか一に記載された処理装置。
【請求項６】
前記高域遮断処理が、自己が備える、前記通信用データ信号のマーク率を略半分にするマーク率均等化処理を含む、請求項１乃至請求項５のうちのいずれか一に記載された処理装置。
【請求項７】
前記他の装置が、前記駆動手段に対し第二の温度制御信号の送付を行う、請求項１乃至請求項６に記載された処理装置。
【請求項８】
前記送付が、自己が前記他の装置に対し通信用データを送付する際に行われる、請求項７に記載された処理装置。
【請求項９】
前記他の装置に対し、前記第二の温度制御信号の内容の少なくとも一部を指定する、請求項７又は請求項８に記載された処理装置。
【請求項１０】
請求項１乃至請求項９のうちのいずれか一に記載された処理装置と、前記温度制御手段とを備える、処理システム。
【発明の詳細な説明】
【技術分野】
【０００１】
本発明は、他の装置との通信が可能な装置の温度を調節する処理システムに関する。
【背景技術】
【０００２】
図１は、一般的な、他の装置との通信が可能な装置の温度を調節する処理システムの例を表す概念図である。【０００３】
処理システム０９１は、処理装置００１と、駆動装置００４と、温度調整装置００５と、を備える。【０００４】
処理装置００１は演算装置００２を備え、演算装置００２の機能により演算処理を行うことができる。処理装置００１は、典型的には、Ｃｅｎｔｒａｌ  Ｐｒｏｃｅｓｓｉｎｇ
Ｕｎｉｔ（ＣＰＵ）である。処理装置００１は、入出力端子である、端子０１１乃至０１３を備える。処理装置００１は、端子０１２を介して、配線０２２を通じて、自己が備える演算装置以外の演算装置である演算装置００３の端子０１５に通信用データ信号を送る。処理装置００１は、また、演算装置００３の端子０１４から送られる通信用データ信号を、配線０２３を通じて、端子０１３を介して受ける。これにより、処理装置００１は、演算装置００３との間で通信を行うことができる。処理装置００１は、さらに、端子０１１を介して、駆動装置００４に対して、同装置を制御するための信号を送る。【０００５】
駆動装置００４は、処理装置００１から送られた信号により、温度調整装置００５に対し、駆動電圧を印加する。温度調整装置００５は、印加された駆動電圧により、演算装置００２の温度調整を行う。【０００６】
なお、パワー素子において熱電変換素子による冷却を行う装置については特許文献１に、半導体素子に対してペルチェ素子を用いて冷却する方法については、特許文献２に、それぞれ開示がある。【０００７】
また、非特許文献１に、後述する、通信用データ信号に対するスクランブルについての説明がある。【０００８】
また、非特許文献２に、後述する、本発明におけるデータ通信に用いることのできる通信プロトコルの例が開示されている。
【先行技術文献】
【特許文献】
【０００９】
【特許文献１】特開２００３−１７９１９６号公報
【特許文献２】特開２００８−２６３１６４号公報
【非特許文献】
【００１０】
【非特許文献１】東日本電信電話株式会社、高速ディジタル伝送サービス（ＳＯＮＥＴ／ＳＤＨインタフェース）の技術参考資料＜メトロハイリンク＞第２版、２００２年７月、［平成２７年７月２４日検索］、インターネット（ｈｔｔｐｓ：／／ｗｗｗ．ｎｔｔ−ｅａｓｔ．ｃｏ．ｊｐ／ｂｕｓｉｎｅｓｓ／ｓｅｒｖｉｃｅ／ｓｕｐｐｏｒｔ／ｅｔｈｅｒ／ｒｅｆｅｒ／ｐｄｆ／ｍｈｌ＿ｔｅｃ．ｐｄｆ）
【非特許文献２】ルネサスエレクトロニクス、ＲＸ１１１グループ  ユーザーズマニュアル  ハードウェア編、Ｒｅｖ．１．２０、ページ７９４、７９５、２０１４年１２月、［平成２７年８月２４日検索］、インターネット（ｈｔｔｐ：／／ｄｏｃｕｍｅｎｔａｔｉｏｎ．ｒｅｎｅｓａｓ．ｃｏｍ／ｄｏｃ／ｐｒｏｄｕｃｔｓ／ｍｐｕｍｃｕ／ｄｏｃ／ｒｘ＿ｆａｍｉｌｙ／ｒ０１ｕｈ０３６５ｊｊ０１２０＿ｒｘ１１１．ｐｄｆ）
【発明の概要】
【発明が解決しようとする課題】
【００１１】
しかしながら、図１に表した処理システム０９１は、駆動装置００４に対し同装置を制御するための信号を送るための入出力部である専用の端子０１１を処理装置００１に設置する必要がある。処理装置に対し小型化の要求がある場合も多く、その場合には、処理装置に設置できる端子の数に制限があり、入出力部である端子０１１の確保が困難になる場合も多い。さらに、駆動装置００４に対し同装置を制御するための信号を送るための入出力部である専用の端子０１１を割り当てることにより、その信号を送るための専用の配線を設置することが必要になる。処理システム０９１を備える製品の小型化の面から上記配線はできるだけ省略できることが望ましい。【００１２】
本発明は、自己以外の他の装置との間の通信及び自己の少なくとも一部の温度調整を両立させつつ、自己の備える入出力部の数を削減できる、処理装置及び同処理装置を備える処理システムを提供することを目的とする。
【課題を解決するための手段】
【００１３】
本発明の処理装置は、温度制御信号生成部と、データ信号生成部と、送信用信号生成部と、送付部とを備える。温度制御信号生成部は、前記温度制御手段以外の自己と通信を行う他の装置に前記温度制御信号を識別させるための識別情報を付加した、温度制御手段に送るための、温度制御信号、の生成を行う。ここで、温度制御手段は、自己の少なくとも一部に温度調整用出力を行う手段である。温度制御手段は、また、温度制御手段に入力される入力信号を前記温度調整用出力に変換する過程において、前記入力信号或いは前記入力信号を処理した信号のうちの少なくとも一の信号に対し低域は通過する高域遮断処理を行う。データ信号生成部は、前記他の装置に送るための通信用データ信号の生成を行う。送信用信号生成部は、前記温度制御信号と前記データ信号とを重ね合わせた送信用信号を生成する。送付部は、前記送信用信号を前記温度制御手段及び前記他の装置に送付する。
【発明の効果】
【００１４】
本発明の処理装置及び同処理装置を備える処理システムは、同処理装置以外の他の装置との間の通信及び同処理装置の少なくとも一部の温度調整を両立させつつ、同処理装置の備える入出力部の数を減らすことができる。
【図面の簡単な説明】
【００１５】
【図１】一般的な処理システムの例を表す概念図である。
【図２】第一実施形態の処理システムの構成を表す概念図である。
【図３】信号平滑化装置及び駆動装置における信号処理を表すイメージ図である。
【図４】処理装置の端子から送られる信号の例を表す概念図である。
【図５】第二実施形態の処理システムの構成を表す概念図である。
【図６】ペルチェ素子の断面の例を表すイメージ図である。
【図７】第二実施形態の処理システムの例を表すイメージ図である。
【図８】温度検出装置を備えた処理システムを表すイメージ図である。
【図９】第三実施形態の処理システムの構成を表す概念図である。
【図１０】駆動装置に入力される信号の例を表すイメージ図である。
【図１１】駆動装置の出力例を表すイメージ図である。
【図１２】第三実施形態の処理システムのバリエーションの構成を表す概念図である。
【図１３】信号平滑化装置及び駆動装置における信号処理を表すイメージ図である。
【図１４】本発明の最小構成の処理装置の構成を表わす概念図である。
【発明を実施するための形態】
【００１６】
［用語の説明］
［発明を実施するための形態］において用いる主要な用語を以下に説明する。
【００１７】
「処理装置」は、自己以外の他の装置との間で通信を行うことができ、温度調整装置に対して温度調整用信号を送ることにより、その温度調整装置に自己の少なくとも一部の温度調整を行わせることのできる装置をいう。
【００１８】
「処理システム」は、処理装置と、当該処理装置が温度調節用信号を送る温度調整装置と、を備えるシステムをいう。
＜第一実施形態＞
本実施形態は、通信用データ信号を送信するための端子と、温度調整のための端子とを共通にした処理装置、を備える処理システムについての実施形態である。
［構成と動作］
図２は、本実施形態の処理システム１９１の構成を表す概念図である。
【００１９】
処理システム１９１は、処理装置１０１と、駆動装置１０４と、温度制御装置１０９とを備える。
【００２０】
温度制御装置１０９は、処理装置１０１の少なくとも一部の温度を制御するための温度制御手段であり、信号平滑化装置１０６と、駆動装置１０４と、温度調整装置１０５と、を備える。
【００２１】
処理装置１０１は、演算装置１０２と、温度制御信号生成部１９５と、データ信号生成部１９６と、送信用信号生成部１９７と、端子１１２と、端子１１３とを備える。
【００２２】
温度制御信号生成部１９５は、温度制御装置１０９を制御するための温度制御信号を生成する。生成した温度制御信号は、送信用信号生成部１９７に送られる。
【００２３】
データ信号生成部１９６は、演算装置００３に送るための通信用データ信号を生成する。生成した通信用データ信号は送信用信号生成部１９７に送られる。
【００２４】
送信用信号生成部１９７は、温度制御信号生成部１９５から送られた温度制御信号と、データ信号生成部１９６から送られた通信用データ信号とを重ね合わせた送信用信号を生成する。
【００２５】
送信用信号生成部１９７により生成された送信用信号は、端子１１２を介し、配線１２２ａ、１２２ｃ及び１２２ｚを通じて、端子０１５を介して、演算装置００３に送られる。処理装置１０１は、また、演算装置００３が送る通信用データ信号を、端子０１４を介し、配線１２３ｚ、１２３ａを通じ、端子１１３を介して受信することができる。処理装置１０１は、上記により、演算装置００３と通信を行うことができる。
【００２６】
なお、配線１２２ｃと配線１２２ｚとの間、及び配線１２３ｚと配線１２３ａとの間は、通信用データ信号を送ることができるように接続されていればよく、その接続方法は任意である。すなわち、その接続方法は、有線はもちろん、無線や光等によるものであっても構わない。
【００２７】
送信用信号生成部１９７により生成された送信用信号は、さらに、端子１１２を介して、配線１２２ａ、１２２ｂを通じ、温度制御装置１０９の信号平滑化装置１０６に送られる。
【００２８】
信号平滑化装置１０６は、処理装置１０１から送られた送信用信号に対し、平滑化処理を行う。平滑化処理後の信号は、駆動装置１０４に送られる。
【００２９】
信号平滑化装置１０６は、処理装置１０１と通信を行う機能を保有する必要は必ずしもない。信号平滑化装置１０６としては、例えば、抵抗とコンデンサを利用したローパスフィルタを用いることができる。
【００３０】
駆動装置１０４は、信号平滑化装置１０６から送られた信号と、予め定めておいた基準電圧値とを比較し、平滑化処理後の電圧値が基準電圧値を上回った場合に、温度調整装置１０５に対し駆動電圧を印加する。
【００３１】
温度調整装置１０５は、駆動装置１０４から送られる駆動電圧により駆動され、処理装置１０１が備え温度調整装置１０５の近傍に設置されている演算装置１０２に対し、温度調整用出力を行うことにより、その温度調整を行う。ここで、処理装置１０１の演算装置１０２は、温度調整装置１０５に隣接され、あるいは温度調整装置１０５に包囲されていても構わない。
【００３２】
処理装置１０１又は演算装置１０２は、例えば、ＣＰＵやマイクロプロセッサである。
【００３３】
駆動装置１０４は、例えば、アンプ、差動アンプ又はコンパレータである。
【００３４】
温度調整装置１０５は、例えば、冷却ファンや、ペルチェ素子等の熱電変換素子である。温度調整装置１０５が冷却ファンの場合の前記温度調整用出力は演算装置１０２に送る風であり、温度調整装置１０５が熱電変換素子の場合の前記温度調整用出力は熱電変換素子が演算装置１０２に対して影響を及ぼす温度である。
【００３５】
なお、演算装置１０２の近傍には、演算装置１０２と接続された図示しない温度測定装置を設置し、その温度をモニターすることもできる。その場合は、演算装置１０２は、温度制御信号生成部１９５に対して、生成する温度制御信号を、モニターした温度が高い場合はより冷却を強めるための信号にする等、モニターした温度により調節を行わせることもできる。
［信号処理］
処理システム１９１においては、処理装置１０１が演算装置００３に送る送信用信号は、配線１２２ａ、１２２ｃ、１２２ｚを通じて演算装置００３に送られると同時に、配線１２２ｂを通じて、信号平滑化装置１０６にも送られる。
【００３６】
図３は、図２に表した処理システムの、信号平滑化装置１０６及び駆動装置１０４における信号処理を表すイメージ図である。
【００３７】
ここでは、図２に表した信号平滑化装置１０６に、送信用信号に含まれる通信用データ信号である信号Ａ１と送信用信号に含まれる温度制御信号Ｂ１とを、それぞれ入力した場合を想定している。信号Ａ２が信号平滑化装置１０６に信号Ａ１を入力した場合の、同装置から駆動装置１０４への出力であり、信号Ｂ２が信号平滑化装置１０６に信号Ｂ１を入力した場合の、同装置から駆動装置１０４への出力である。また、信号Ａ３は、信号Ａ２を駆動装置１０４に入力した場合の同装置からの出力であり、信号Ｂ３は、信号Ｂ２を駆動装置１０４に入力した場合の同装置からの出力である。
【００３８】
同図に表したように信号平滑化装置１０６における信号平滑化処理により、信号Ａ１及び信号Ｂ１は、立ち上がり及び立下りが緩やかな、信号Ａ２及び信号Ｂ２に変換される。
【００３９】
特に通信用データ信号Ａ１は短い時間において電圧の高レベルと低レベルが切り替わるので、信号Ａ２は電圧が最大に到達しない状態が続く。
【００４０】
一方、温度制御信号は、同じ電圧レベルが、通信用データ信号に比べて長時間継続するので、同図信号Ｂ２に表したように、最大電圧レベル又はそれに近い電圧レベルの状態が長時間継続する。
【００４１】
駆動装置１０４は、前述のように、入力電圧が基準電圧より大きい場合に正の出力を行うように設定されているものとする。その場合は、同図に表したように基準電圧を設定した場合には、信号Ａ３はゼロであり、信号Ｂ３は、同図に表したような長時間の出力になる。
【００４２】
信号Ａ１が低レベルか高レベルかいずれかの期間が長く継続する場合には、信号Ａ２が最大電圧に到達し、駆動装置１０４からの出力が不安定になる場合も可能性としてはあり得るが、そのようなケースはまれであり、通常は影響が少ないことが想定される。
【００４３】
図２に表した処理システム１９１は、以上のように、駆動装置１０４に入力される入力信号である信号Ａ１及びＢ１に対して低域は通過する高域遮断処理である平滑化処理を行う。これにより、駆動装置１０４の出力として低域は通過する高域遮断処理がなされた駆動電圧Ａ３及びＢ３が得られる。これらの低域は通過する高域遮断処理がなされた駆動電圧により温度調整装置１０５が駆動される場合には、温度調整装置１０５からの温度調整用出力は低域は通過する高域遮断処理がなされたものになる。
【００４４】
処理システム１９１においては、さらに、送信用信号は、配線１２２ａ及び１２２ｂを通じて駆動装置１０４に送られると同時に、配線１２２ｃ及び１２２ｚを通じて演算装置００３にも送られる。そのため、演算装置００３が、送信用信号に含まれる温度制御信号について、通信用データ信号として受信処理を行うことが起こり得る。
【００４５】
この受信処理を防ぐためには、例えば、処理装置１０１と演算装置００３との間で、温度制御信号を特定するためのルールを定めておけばよい。例えば、処理装置１０１と演算装置００３との間で、駆動装置１０４に送る信号の開始を表す開始信号と、その終了を表す終了信号とを定めておく。演算装置００３は、開始信号を受信したことを判定したときは、それに続く終了信号以外の信号は、自己宛の通信用データ信号ではないと判定し、廃棄又は無視する。そして、終了信号を受信したと判定したときは、それに続く信号は自己宛の通信用データ信号であると判定し、受信処理を行う。
【００４６】
図４は、処理装置１０１の端子１１２から送られる送信用信号の例を表す概念図である。
【００４７】
同図に表した例では、時間の経過にともない、通信用データ信号１７１、開始信号１６１、温度制御信号１８１、終了信号１６２、通信用データ信号１７２、開始信号１６１、温度制御信号１８２、終了信号１６２の順に信号が送られる。
【００４８】
同例においては、通信用データ信号と、開始信号、温度制御信号及び終了信号の組と、が交互で並ぶ場合を表したが、通信用データ信号と、開始信号、温度制御信号及び終了信号の組と、の並び方は任意である。例えば、通信用データ信号の少ないときに開始信号、温度制御信号及び終了信号の組を挿入するような操作を行うこともできる。
【００４９】
図４に表した信号の具体的なプロトコルとしては、例えば、非特許文献２に開示された調歩同期式シリアル通信（ＵＡＲＴ）のものを用いることができる。
［効果］
本実施形態の処理システムは、自己が備える演算装置以外の他の演算装置への通信に用いるための通信用データ信号と、温度制御装置に送るための温度制御信号とを重ね合わせた送信用信号を生成する。そして、生成した送信用信号を、前記他の演算装置及び温度制御装置に送る。
【００５０】
さらに、温度制御装置は、入力される入力信号に対して低域は通過する高域遮断処理を行う。これにより、本実施形態の処理システムは、入力信号が周波数の高いデータ信号である場合には、温度調整用出力におけるそのデータ信号の影響を低減することができる。
【００５１】
また、本実施形態の処理システムは、同処理装置が備える演算装置以外の他の演算装置に送る信号が温度制御信号である場合には、その信号が温度制御信号であることを当該他の装置に認識させる開始信号と終了信号を加える。そのため、温度制御信号の当該他の装置における受信への影響を低減することができる。
【００５２】
以上により、本実施形態の処理システムは、同システムが備える処理装置の備える送付部（端子）の数を減少させることができる。当該減少は、同処理装置の、同処理装置が備える演算装置以外の他の演算装置との間の通信、及び、同処理装置の少なくとも一部の温度調整と、両立するものである。
＜第二実施形態＞
本実施形態は、温度調整装置に熱電変換素子を、駆動装置にコンパレータを、それぞれ用いた場合の、本発明の処理システムに関する実施形態である。
【００５３】
図５は、本実施形態の処理システムの構成を表す概念図である。
【００５４】
処理システム２９１は、処理装置２０１と、温度制御装置２０９と、を備える。
【００５５】
温度制御装置２０９は、処理装置２０１の少なくとも一部の温度を制御するための温度制御手段であり、駆動装置２０４と、温度調整装置２０５と、電圧印加装置２０６と、を備える。
【００５６】
処理装置２０１は、演算装置２０２と、温度制御信号生成部２９５と、データ信号生成部２９６と、送信用信号生成部２９７と、端子２１２と、端子２１３を備える。
【００５７】
温度制御信号生成部２９５は、温度制御装置２０９を制御するための温度制御信号を生成する。生成した温度制御信号は、送信用信号生成部２９７に送られる。
【００５８】
データ信号生成部２９６は、演算装置００３に送るための通信用データ信号を生成する。生成した通信用データ信号は送信用信号生成部２９７に送られる。
【００５９】
送信用信号生成部２９７は、温度制御信号生成部２９５から送られた温度制御信号と、データ信号生成部２９６から送られた通信用データ信号とを重ね合わせた送信用信号を生成する。
【００６０】
送信用信号生成部２９７により生成された送信用信号は、端子２１２を介し、配線２２２ａ、２２２ｃ及び２２２ｚを通じて、端子０１５を介して、演算装置００３に送られる。処理装置２０１は、演算装置００３が送る通信用データ信号を、端子０１４を介し、配線２２３ｚ、２２３ａを通じ、端子２１３を介して受信することができる。処理装置２０１は、上記により、演算装置００３と通信を行うことができる。
【００６１】
なお、配線２２２ｃと配線２２２ｚとの間、及び配線２２３ｚと配線２２３ａとの間は、通信用データ信号を送ることができるように接続されていればよく、その接続方法は任意である。すなわち、その接続方法は、有線はもちろん、無線や光等によるものであっても構わない。
【００６２】
送信用信号生成部２９７により生成された送信用信号は、さらに、端子２１２を介して、配線２２２ａ、２２２ｂを通じ、駆動装置２０４に送られる。
【００６３】
駆動装置２０４はコンパレータである。処理装置２０１から送られた信号は駆動装置２０４の非反転入力端子（同図の＋表示の入力端子）に入力される。一方、電圧印加装置２０６からは基準電圧が駆動装置２０４の反転入力端子（同図の−表示の入力端子）に入力される。
【００６４】
駆動装置２０４は、非反転入力端子に入力される電圧が、反転入力端子に入力される電圧よりも大きい場合には、その出力端子から所定の正の電圧を、温度調整装置２０５に対して出力する。
【００６５】
温度調整装置２０５は熱電変換素子である。温度調整装置２０５は駆動装置２０４から送られる駆動電圧により駆動され、処理装置２０１が備え温度調整装置２０５の近傍に設置される演算装置２０２の温度調整を行う。その温度調整は、演算装置２０２における処理速度の高速化の観点から典型的には冷却であるが、演算装置２０２における処理速度を低く調整するため等のために加熱する場合もあり得る。処理装置２０１が備える演算装置２０２は、温度調整装置２０５に隣接され、あるいは温度調整装置２０５に包囲されていても構わない。
【００６６】
温度調整装置２０５は駆動装置２０４から送られる電圧の極性により、温度調整が演算装置２０２を加熱するか、冷却するかの別を切り替える。
【００６７】
処理装置２０１又は演算装置２０２は、例えば、ＣＰＵやマイクロプロセッサである。
【００６８】
電圧印加装置２０６には、例えば、所定の電圧を発生する電池を用いることができる。
【００６９】
なお、演算装置２０２の近傍には、演算装置２０２と接続された図示しない温度測定装置を設置し、その温度をモニターすることもできる。その場合は、演算装置２０２は、温度制御信号生成部２９５に対して、生成する温度制御信号について、モニターした温度が高い場合はより冷却を強めるための信号にする等、モニターした温度により調節を行わせることもできる。
【００７０】
温度調整装置２０５である熱電変換素子としては、例えばペルチェ素子を用いることができる。
【００７１】
図６は、ペルチェ素子の断面の例を表すイメージ図である。
【００７２】
同図に例示したペルチェ素子７０１は、同図に表したように、５個の下側導体７１１と、４個の上側導体７１２と、対応する下側導体７１１と上側導体７１２とを接続する４個のＰ型半導体７２１と、同じく４個のＮ型半導体７３１とを備える。Ｐ型半導体７２１とＮ型半導体７３１とは、同図に表したように、断面横方向において交互に配置されている。
【００７３】
また、ペルチェ素子７０１の一方の端部７５１は、図示しない駆動装置に接続されており、他方の端部７５２はグランド７４１に接続されている。
【００７４】
ペルチェ素子７０１は、よく知られているように、端部７５１に印加される電圧の値が負の場合には、下側導体７１１が冷却され、上側導体７１２が加熱される。ペルチェ素子７０１は、また、端部７５１に印加される電圧の値が正の場合には、下側導体７１１が加熱され、上側導体７１２が冷却される。
【００７５】
従い、例えば、ペルチェ素子７０１を処理装置又は演算装置に重ねた場合には、端部７５１に印加される電圧の正負を切り替えることにより、処理装置又は演算装置を加熱し、あるいは、冷却することができる。
【００７６】
図６には、隣り合うＮ型半導体７３１とＰ型半導体７２１の組が４組の場合を表したが、その組数は任意である。
【００７７】
図７は、図６に表したペルチェ素子を処理装置に重ね合わせた場合の、本実施形態の処理システムの例を表すイメージ図である。同図では、（ａ）に上面図を、（ｂ）に断面図を、それぞれ表してある。
【００７８】
処理システム５９１は、ペルチェ素子５０５と、処理装置５０１と、コンパレータ５０４と、電圧印加装置５０６と、を備え、基体５５１上に形成されている。
【００７９】
処理装置５０１は図示しない演算装置を備える。
【００８０】
ペルチェ素子５０５は、その下面が処理装置５０１に隣接するように、処理装置５０１の上部に重ね合わされている。
【００８１】
処理装置５０１は、端子５１１を介して、配線５２２ｃを通じて、前記演算装置とは異なる図示しない他の演算装置に通信用データ信号を含む送信用信号を送ることができる。
【００８２】
処理装置５０１は、また、端子５１１を介して、配線５２２ａを通じて、コンパレータ５０４の非反転入力端子である端子５１４に温度調整信号を含む送信用信号を送ることができる。
【００８３】
コンパレータ５０４の反転入力端子である端子５１５には、電圧印加装置５０６から基準電圧が印加される。
【００８４】
処理装置５０１はまた、配線５２１ｃを通じて、端子５１２を介して、前記他の演算装置から送られる通信用データ信号を受信することができる。
【００８５】
端子５１４に信号を受信すると、コンパレータ５０４はその受信した信号の電圧に応じた電圧を、出力端子である端子５１３を介して、配線５２３を通じて、ペルチェ素子５０５の端部５３１に対し印加する。ペルチェ素子５０５の他の端部５３２はグランド５４１に接続されている。これらにより、ペルチェ素子５０５の下面は加熱又は冷却され、それに応じて、処理装置５０１が加熱又は冷却され、処理装置５０１の温度調整が行われる。
【００８６】
図８は、処理装置の温度を検出するための温度検出装置を備えた処理システム６９１を表すイメージ図である。
【００８７】
処理システム６９１の構成は、図７に表した処理システム５９１の構成とは、温度センサ６６１が追加されている点のみが異なる。
【００８８】
温度センサ６６１は処理装置６０１の近傍に位置し、測定した温度情報を含む信号を、図示しない信号経路を通じて、処理装置６０１に送る。処理装置６０１は、温度センサ６６１が測定した温度情報に基づき、コンパレータ６０４に送る温度調整信号を調節する。処理装置６０１は、例えば、温度センサ６６１が検出した温度が、予め設定しておいた基準温度より高い場合には、ペルチェ素子６０５が処理装置６０１を冷却する時間を増やすような温度制御信号を、コンパレータ６０４に対して送る。
【００８９】
上記を除いて、処理システム６９１の各構成についての説明は、図７に表した処理システム５９１についての説明と同じである。ただし、同説明において、各構成要素の符号に含まれる数字の百の位が５の場合は、その百の位を６に置き換えて読むこととする。
［信号処理］
以下においては、図５に表した処理システム２９１における信号処理を例に、本実施形態の処理システムの信号処理について説明する。処理システム２９１においては、処理装置２０１が演算装置２０３に送る通信用データ信号は、配線２２２ａ、２２２ｃ、２２２ｚを通じて演算装置００３に送られると同時に、配線２２２ｂを通じて駆動装置１０４にも送られる。
【００９０】
この点について、処理システム２９１の場合は、通信用データ信号における、信号電圧が印加されている時間の、信号電圧が印加されている時間と印加されていない時間との合計に対する割合（以下、マーク率という。）をほぼ半分にする。それにより、通信用データ信号の温度制御装置２０６が制御する温度への影響を低減することができる。
【００９１】
コンパレータである駆動装置は、上述のように、非反転入力端子に入力される信号電圧が、反転入力端子に入力される基準電圧より大きい場合に正の駆動電圧の出力を行う。信号電圧が印加されている間は、非反転入力端子に入力される電圧が基準電圧より大きいので、駆動装置からの出力は正である。この場合、熱電変換素子は正の電圧の入力を受けて、処理装置又は演算装置に近接している方の導体が冷却（又は加熱）される。
【００９２】
一方、非反転入力端子に入力される信号電圧が、反転入力端子に入力される基準電圧より小さい場合に負の電圧の出力を行う。信号電圧が印加されていない間は、非反転入力端子に入力される電圧が基準電圧より小さいので、駆動装置駆動装置からの出力は負である。この場合、熱電変換素子は負の電圧の入力を受けて、処理装置又は演算装置に近接している方の導体が加熱（又は冷却）される。
【００９３】
前述のように通信用データ信号において、マーク率が半分だと、加熱の時間と冷却の時間の比率が等しい、すなわち、平均すると加熱も冷却もされないことになる。
【００９４】
単に、信号電圧が印加されている時間と印加されていない時間との比率が等しいだけだと、平均すると加熱も冷却もされなくても、加熱される期間と冷却される期間による加熱及び冷却による温度変化が生じる。しかしながら、上述したように、信号電圧の印加と非印加の切り替えが短時間に生じるので、加熱されたとしてもほとんど温度が上昇しないうちに、冷却され、結果として、温度変化はほとんど生じないことになる。
【００９５】
熱電変換素子が、入力される駆動電圧を熱電変換素子の温度調整用出力である温度に変換する際に、温度調整用出力である温度の平滑化処理が行われるためである。
【００９６】
マーク率が半分から著しくずれる場合には、比率が著しく異なるようにならないような対策を施す。そのような対策としては、前記マーク率が半分から大きくずれる文字コードの使用を制限することや、通信用データ信号に対してスクランブルなどのプロトコル変換を施すことにより、比率がほぼ等しくなるようにすればよい。通信用データ信号に対するスクランブルについては、例えば、非特許文献１の、図１．１６  フレーム同期スクランブラ（構成例）等に説明がある。
【００９７】
このように、図５に表した処理システム２９１は、処理装置２０１が演算装置００３に送付する通信用データ信号のマーク率をほぼ半分にし、温度制御装置２０９が上記動作を行う。
【００９８】
上記以外の信号処理についての説明は、実施形態１の信号処理についての説明と同様である。ただし、実施形態１の信号処理についての説明における構成を表す符号において、数字の百の位が１のものは、その百の位を２に置き換えて読むこととする。
［効果］
本実施形態の処理システムは、まず、第一実施形態の処理システムと同様の効果を奏する。
【００９９】
それに加えて、本実施形態の処理システムは、駆動装置に基準電圧と入力信号との大小を比較して出力するコンパレータを、温度調整装置に熱電変換素子を、それぞれ用いる。そして、駆動装置に入力される通信用データ信号のマーク率をほぼ半分になるようにする。駆動装置に入力されるマーク率がほぼ半分になることにより、駆動装置から熱電変換素子に入力される駆動電圧のマーク率もほぼ半分になる。熱電変換素子は、入力に対する出力が遅延するその性質により、入力される駆動電圧を温度調整用出力に変換する際に、その平滑化処理を行う。そのため、温度がほとんど上がらないうちにその低下が生じ、また、温度がほとんど下がらないうちにその上昇が、行われることになる。さらに、熱電変換素子に入力される駆動電圧のマーク率がほぼ半分であることから、熱電変換素子の温度調整用出力部分における冷却量と加熱量は等しく、結果として温度調整用出力部分の温度の時間平均すると変化しないことになる。
【０１００】
これらにより、熱電変換素子は、従い、通信用データの駆動装置への入力の温度調整用出力への影響を低減することができる。
【０１０１】
そのため、本実施形態の処理システムは、第一実施形態の温度制御装置では設けている駆動装置の前段の信号平滑化装置を省略でき、処理システムを構成する部品点数を削減することができるというメリットを得ることができる。
＜第三実施形態＞
本実施形態は、処理装置が、自己が備える演算装置以外の演算装置から通信用データ信号を受信する間に温度調整用信号を送る、処理システムに関する実施形態である。
【０１０２】
図９は、本実施形態の処理システム４９１の構成を表す概念図である。
【０１０３】
処理システム４９１は、処理装置４０１ａと、温度制御装置４０９と、処理装置４０１ｂと、を備える。
【０１０４】
温度制御装置４０９は、処理装置４０１ａの少なくとも一部の温度を制御するための温度制御手段であり、駆動装置４０４と、温度調整装置４０５と、を備える。
【０１０５】
処理装置４０１ａは、演算装置４０２と、温度制御信号生成部４９５ａと、データ信号生成部４９６ａと、送信用信号生成部４９７ａと、端子４１２と、端子４１３と、を備える。
【０１０６】
温度制御信号生成部４９５ａは、温度制御装置４０９を制御するための第一の温度制御信号を生成する。生成した第一の温度制御信号は、送信用信号生成部４９７に送られる。
【０１０７】
データ信号生成部４９６ａは、処理装置４０１ａに送るための第一の通信用データ信号を生成する。生成した第一の通信用データ信号は送信用信号生成部４９７ａに送られる。
【０１０８】
送信用信号生成部４９７ａは、温度制御信号生成部４９５ａから送られた第一の温度制御信号と、データ信号生成部４９６ａから送られた第一の通信用データ信号とを重ね合わせた第一の送信用信号を生成する。
【０１０９】
処理装置４０１ｂは、演算装置４０３と、温度制御信号生成部４９５ｂと、データ信号生成部４９６ｂと、送信用信号生成部４９７ｂと、端子４１４と、端子４１５と、を備える。
【０１１０】
温度制御信号生成部４９５ｂは、温度制御装置４０９を制御するための第二の温度制御信号を生成する。生成した第二の温度制御信号は、送信用信号生成部４９７ｂに送られる。
【０１１１】
データ信号生成部４９６ｂは、演算装置００３に送るための第二の通信用データ信号を生成する。生成した第二の通信用データ信号は送信用信号生成部４９７ｂに送られる。
【０１１２】
送信用信号生成部４９７ｂは、温度制御信号生成部４９５ｂから送られた第二の温度制御信号と、データ信号生成部４９６ｂから送られた第二の通信用データ信号とを重ね合わせた第二の送信用信号を生成する。
【０１１３】
送信用信号生成部４９７ａにより生成された第一の送信用信号は、端子４１２を介し、配線４２２ａ、４２２ｃ及び４２２ｚを通じて、端子４１５を介して、演算装置４０３を備える処理装置４０１ｂに送られる。
【０１１４】
また、処理装置４０１ａは、処理装置４０１ｂが送る第二の通信用データ信号を含む第二の送信用信号は、端子４１４を介し、配線４２３ｚ、４２３ｃ及び４２３ａを通じ、端子４１３を介して受信することができる。処理装置４０１ａは、上記により、処理装置４０１ｂと通信を行うことができる。
【０１１５】
なお、配線４２２ｃと配線４２２ｚとの間、及び配線４２３ｚと配線４２３ｃとの間は、通信用データ信号を送ることができるように接続されていればよく、その接続方法は任意である。すなわち、その接続方法は、有線はもちろん、無線、光等によるものであっても構わない。
【０１１６】
送信用信号生成部４９７ａにより生成された第一の送信用信号は、また、配線４２２ｂを通じて、コンパレータである駆動装置４０４の非反転入力端子（同図において＋で表した端子）にも送られる。
【０１１７】
端子４１４を介して処理装置４０１ａに送られる第二の送信用信号は、配線４２３ｂを通じて、コンパレータである駆動装置４０４の反転入力端子（同図において−で表した端子）にも送られる。
【０１１８】
送信用信号生成部４９７ａにより生成された第一の送信用信号は、は、さらに、端子４１２を介して、配線４２２ａ及び４２２ｂを通じ、駆動装置４０４に送られる。
【０１１９】
送信用信号生成部４９７ｂにより生成された第二の送信用信号は、さらに、端子４１４を介して、配線４２３ｚ、４２３ｃ及び４２３ｂを通じ、駆動装置４０４に送られる。
【０１２０】
駆動装置４０４は、非反転入力端子に入力される信号が、反転入力端子に入力される信号よりも大きい場合に、正の電圧を出力する。また、駆動装置４０４は、非反転入力端子に入力される信号が、反転入力端子に入力される信号よりも小さい場合に、負の電圧を出力する。
【０１２１】
駆動装置４０４から出力された出力電圧は、温度調整装置４０５に送られる。
【０１２２】
温度調整装置４０５は、駆動装置４０４から送られる電圧により駆動され、処理装置４０１ａが備え温度調整装置４０５の近傍に設置される演算装置４０２の温度調整を行う。ここで、処理装置４０１ａの演算装置４０２は、温度調整装置４０５に隣接され、あるいは温度調整装置４０５に包囲されていても構わない。
【０１２３】
処理装置４０１ａ又は演算装置４０２は、例えば、ＣＰＵやマイクロプロセッサである。
【０１２４】
処理装置４０１ｂ又は演算装置４０３は、例えば、ＣＰＵやマイクロプロセッサである。
【０１２５】
駆動装置４０４はコンパレータである。
【０１２６】
温度調整装置４０５はペルチェ素子等の熱電変換素子である。ペルチェ素子としては、例えば、図６について説明した構成を用いることができる。
【０１２７】
なお、演算装置４０２の近傍には、演算装置４０２と接続された図示しない温度測定装置を設置し、その温度をモニターすることもできる。その場合は、演算装置４０２は、温度制御信号生成部４９５ａに対して、生成する第一の温度制御信号についてモニターした温度により調節を行わせることもできる。さらに、演算装置４０２は、演算装置４０３と通信を行い、演算装置４０３に、温度制御信号生成部４９５ｂに対して、生成する第二の温度制御信号についてモニターした温度により調節を行わせることもできる。
［信号処理］
図１０は、コンパレータである駆動装置４０４に入力される信号の例を表すイメージ図である。同図において、信号１は、図９に表した処理システムにおいて、処理装置４０１ａから、端子４１２を介して、４２２ａ及び４２２ｂを通じて、駆動装置４０４の非反転入力端子（同図において「＋」と表示した端子。）へ入力される入力信号である。信号１は、前記非反転入力端子への入力と同期して、配線４２３ｃ及び４２３ｚ、並びに、端子４１４を通じて、処理装置４０１ｂにも入力される。
【０１２８】
信号２は、図９に表した処理システム４９１において、処理装置４０１ｂから、端子４１４を介して、４２３ｚ、４２３ｃ及び４２３ｂを通じて、駆動装置４０４の反転入力端子（同図において「−」と表示した端子。）に入力される入力信号である。信号２は、前記反転入力端子への入力と同期して、配線４２３ａ、端子４１３を介して、処理装置４０１ａにも入力される。
【０１２９】
信号１は、同図に表したように、時間の経過とともに、終了信号８６２、通信用データ信号８０１、開始信号８６１、温度制御信号８１１、終了信号８６２、通信用データ信号８０２、開始信号８６１、温度制御信号８１２、終了信号８６２の順に並んでいる。
【０１３０】
一方、信号２は、時間の経過とともに、開始信号８６３、温度制御信号８１３、終了信号８６４、通信用データ信号８０３、開始信号８６３、温度制御信号８１４、終了信号８６４、通信用データ信号８０４の順に並んでいる。
【０１３１】
信号１と信号２のタイミングは、同図に表したとおりである。すなわち、信号２として開始信号８６３が送られる直前に信号１として終了信号８６２が送られ、信号１として通信用データ信号８０１が送られる間に、信号２として開始信号８６３、温度制御信号８１３、終了信号８６４が送られる。さらに、信号１として開始信号８６１、温度制御信号８１１、終了信号８６２が送られる間に、信号２として通信用データ信号８０３が送られる。さらに、信号１として通信用データ信号８０２が送られる間に、信号２として開始信号８６３、温度制御信号８１４、終了信号８６４が送られる。さらに、信号１として開始信号８６１、温度制御信号８１２、終了信号８６２が送られる間に、信号２として通信用データ信号８０４が送られる。
【０１３２】
ここで、開始信号は、その後に続く信号が温度制御信号であることを、通信相手先の処理装置に知らせる信号である。開始信号を受信した処理装置は、その後、終了信号を受信するまでは、開始信号に続く信号に関して、通信用データ信号としての受信処理を行わない。
【０１３３】
終了信号は、温度制御信号の送付が完了したことを、通信相手先に知らせる信号である。終了信号を受信した処理装置は、その終了信号に続く受信信号について、通信用データ信号としての受信処理を行う。
【０１３４】
なお、終了信号８６２には、それを受信した図９に表した処理装置４０８ｂが次に駆動装置４０４に対して送る温度制御信号の内容を指定する情報が含まれている。処理装置４０８ｂは指定された内容に従い、駆動装置４０４に対して、温度制御信号８１３、８１４を送る。
【０１３５】
図１０に表した信号１及び信号２の具体的なプロトコルとしては、例えば、非特許文献２に開示された調歩同期式シリアル通信（ＵＡＲＴ）のものを用いることができる。
【０１３６】
図９に表した処理システム４９１は、図１０に表したように、通信相手方の処理装置から送られる通信信号を受信している間に、駆動装置４０４に対して温度制御信号を送ることができる。そのため、処理システム４９１は、温度制御を行う時間の割合をより高めることができ、従い、より高精度な温度制御を行うことができる。
【０１３７】
図１１は、信号１が通信用データ信号であり、信号２が直流電圧の温度制御信号である場合の、コンパレータである駆動装置の出力例を表すイメージ図である。
駆動装置は、反転入力端子に入力された通信用データ信号と、非反転入力端子に入力された温度制御信号の電圧レベルを比較し、同図の駆動装置出力に表したような出力を行う。ただし、同図では、コンパレータの入出力応答が十分に早いことを想定している。
【０１３８】
同図において「不安定な出力」と表記した出力は、正と負の出力が非常に短い周期で切り替わる出力を意味し、その出力の平均値はゼロになることが想定される。同図において「不安定な出力」と表記した時間帯においては、コンパレータに入力される信号の電圧値が等しいので、わずかなオフセット電圧のばらつきにより、その出力の正負が一方には定まらず、短い時間で正負が切り替わるなどの現象が生じる可能性がある。
【０１３９】
ただし、この出力を入力した熱電変換素子は、加熱と冷却を非常に短い時間で繰り返すことから、加熱による温度上昇が生じる前に冷却が、冷却による温度下降が生じる前に加熱が生じ、温度変化は生じない。
【０１４０】
コンパレータの出力後段に適当な遮断周波数を有するローパスフィルタを設置すること等により、上記不安定な出力を除去することもできる。その場合は、同図における、「不安定な出力」と表記した時間帯における出力はゼロになる。
【０１４１】
また、前述のように、温度制御信号の前には開始信号が挿入され、開始信号が駆動装置４０４に入力される場合には、駆動装置４０４は開始信号の電圧レベルと通信用データ信号の電圧レベルの大小とを比較して出力を行うことになる。その出力は、必ずしも調整したい方向の温度にはならないこともあり得る。しかしながら、開始信号は温度制御信号の開始を表すためだけのものなので、短い時間の信号にすることができる。これにより、前記出力の温度調整装置４０５の温度への影響は無視できるものにすることができる。
【０１４２】
また、温度制御信号の後には終了信号が挿入され、終了信号が駆動装置４０４に入力される場合には、駆動装置４０４は終了信号の電圧レベルと通信用データ信号の電圧レベルとの大小を比較して出力を行うことになる。その出力は、必ずしも調整したい方向の温度にはならないこともあり得る。しかしながら、終了信号は温度制御信号の終了を表し、さらに相手方の処理装置が駆動装置４０４に対して送る温度制御信号を指定するためだけのものなので、短い時間の信号にすることができる。これにより、前記出力の温度調整装置４０５の温度への影響は無視できるものにすることができる。
【０１４３】
図９に表した処理システムは、図１１に表したような信号１及び信号２を駆動装置に入力した場合には、信号１である通信用データ信号が低レベルの間のみ駆動装置４０４からの出力（「不安定な出力」を除く）がある。上記は、同図に表したように信号２を連続的に入力させたとしても生ずる。そのため、駆動装置４０４により長時間の出力（「不安定な出力」を除く）をさせたいという要望があった場合には、その要望に対応することができない。
【０１４４】
図１２は上記課題を解決しうる本実施形態の処理システム９９１の構成を表す概念図である。
【０１４５】
処理システム９９１は、処理装置９０１ａと、温度制御装置９０９と、処理装置９０１ｂと、を備える。
【０１４６】
温度制御装置９０９は、処理装置９０１ａの少なくとも一部の温度を制御するための温度制御手段であり、駆動装置９０４と、温度調整装置９０５と、信号平滑化装置９７１と、信号平滑化装置９７２と、を備える。
【０１４７】
処理システム９９１は、図９に表した処理システム４９１とは、配線９２２ｂと駆動装置９０４の非反転入力端子との間に信号平滑化装置９７１を挿入した点が異なる。処理システム９９１は、また、図９に表した処理システム４９１とは、配線９２３ｂと駆動装置９０４の反転入力端子との間に信号平滑化装置９７２を挿入した点が異なる。処理システム９９１と、図９に表した処理システム４９１との構成上の相違点は上記２点のみである。
【０１４８】
処理システム９９１の各構成についての説明は、下記を除いて、図９に表した処理システム４９１の説明と同じである。ただし、その説明は、各構成を表す符号の百の位が４の場合は、その百の位を９に置き換えたものになる。
【０１４９】
処理装置９０１ａから処理装置９０１ｂに送られる第一の送信用信号は、配線４２２ｂを通じて、信号平滑化装置９７１にも送られる。信号平滑化装置９７１は送られた第一の送信用信号に対し信号平滑化を行い、コンパレータである駆動装置９０４の非反転入力端子に送る。信号平滑化装置９７１及び９７２において行われる信号平滑化は、一般によく行われている、信号の立ち上がりや立下りを緩やかにする処理を、入力信号に対して行うことにより実現することができる。信号平滑化装置９７１及び９７２は、処理装置９０１ａ及び９０１ｂと通信を行う機能を保有する必要は必ずしもない。信号平滑化装置９７１及び９７２としては、例えば、抵抗とコンデンサを利用したローパスフィルタを用いることができる。
【０１５０】
処理装置９０１ｂから処理装置９０１ａに送られる前記第二の送信用信号は、配線９２３ｂを通じて、信号平滑化装置９７２にも送られる。信号平滑化装置９７２は送られた第二の送信用信号に対し信号平滑化を行い、コンパレータである駆動装置９０４の反転入力端子に送る。
［信号処理］
図１３は、図１２に表した処理システムの信号平滑化装置及び駆動装置９０４における信号処理を表すイメージ図である。
【０１５１】
ここでは、図１２に表した信号平滑化装置９７１に通信用データ信号である信号１ａを、同図信号平滑化装置９７２に温度制御信号である信号２ａを、それぞれ入力した場合を想定している。図１３に表した、信号１ｂが信号平滑化装置９７１から駆動装置９０４の非反転入力への出力、信号２ｂが信号平滑化装置９７２から駆動装置９０４の反転入力への出力である。また、駆動装置出力は、駆動装置９０４から出力される駆動電圧である。
【０１５２】
同図に表したように信号平滑化装置９７１及び９７２における信号平滑化処理により、信号１ａ及び信号２ａは、立ち上がり及び立下りが緩やかな、信号１ｂ及び信号２ｂに変換される。
【０１５３】
特に通信用データ信号１ａは短い時間において電圧の高レベルと低レベルが切り替わるので、信号１ｂは電圧が最大に到達しない状態が続く。
【０１５４】
一方、温度制御信号は、同じ電圧レベルが、通信用データ信号に比べて長時間継続するので、同図信号２ｂに表したように、最大電圧レベル又はそれに近い電圧レベルの状態が長時間継続する。
【０１５５】
コンパレータである駆動装置９０４は、信号２ｂが信号１ａより大きい場合に正の電圧を出力するので、同図の駆動装置出力に表したように、長時間の出力を行うことになる。
【０１５６】
信号１ａが低レベルか高レベルかいずれかの期間が長く継続する場合には、信号１ｂが最大電圧になり、駆動装置９０４からの出力が不安定になる場合も可能性としてはあり得るが、そのようなケースはまれであり、影響が少ないことが想定される。
【０１５７】
上記により、図１２に表した処理システム９９１は、図９に表した処理システム４９１ではできない、駆動装置による継続的な長時間の出力を行うことができる。
［効果］
本実施形態の処理システムは、まず、第一実施形態の処理システムと同様な効果を奏する。
【０１５８】
本実施形態の処理システムは、処理装置が駆動装置に対し温度制御信号を送らない時に、その処理装置の通信相手先の処理装置が、駆動装置への温度制御信号の送付を行う。
【０１５９】
そのため、温度制御を行う時間の割合をより高めることができ、それによりその処理装置のより高い精度の温度制御を行うことができる。
【０１６０】
なお、本発明の最小構成の処理装置１の構成を表わす概念図を図１４に表す。
【０１６１】
処理装置１は、温度制御信号生成部１２と、データ信号生成部１３と、送信用信号生成部１４と、送付部１５とを備える。
【０１６２】
温度制御信号生成部１２は、前記温度制御手段以外の自己と通信を行う他の装置に前記温度制御信号を識別させるための識別情報を付加した、温度制御手段に送るための温度制御信号、の生成を行う。
【０１６３】
ここで、温度制御手段は、自己の少なくとも一部に温度調整用出力を行う手段である。温度制御手段は、また、温度制御手段に入力される入力信号を前記温度調整用出力に変換する過程において、前記入力信号或いは前記入力信号を処理した信号のうちの少なくとも一の信号に対し低域は通過する高域遮断処理を行う。
【０１６４】
データ信号生成部１３は、前記他の装置に送るための通信用データ信号の生成を行う。
【０１６５】
送信用信号生成部１４は、前記温度制御信号と前記データ信号とを重ね合わせた送信用信号を生成する。
【０１６６】
送付部１５は、前記送信用信号を前記温度制御手段及び前記他の装置に送付する。
【０１６７】
本発明の最小構成の情報処理方法は、上記構成により、［発明の効果］に記載した効果を奏する。
【０１６８】
また、上記の実施形態の一部又は全部は、以下の付記のようにも記述され得るが、以下には限られない。
【０１６９】
（付記Ａ１）
自己の少なくとも一部に温度調整用出力を行い、入力される入力信号を前記温度調整用出力に変換する過程において、前記入力信号或いは前記入力信号を処理した信号のうちの少なくとも一の信号に対し低域は通過する高域遮断処理を行う、温度制御手段、に送るための、前記温度制御手段以外の自己と通信を行う他の装置に前記温度制御信号を識別させるための識別情報を付加した、温度制御信号、の生成を行う温度制御信号生成部と、
前記他の装置に送るための通信用データ信号の生成を行うデータ信号生成部と、
前記温度制御信号と前記データ信号とを重ね合わせた送信用信号を生成する送信用信号生成部と、
前記送信用信号を前記温度制御手段及び前記他の装置に送付する送付部と
を備える、処理装置。
【０１７０】
（付記Ａ２）
前記温度制御手段が、前記温度調整用出力を行う温度調整手段と、前記温度調整手段を駆動する駆動手段とを備え、前記駆動手段は前記温度調整手段に対し駆動電圧を印加する、付記Ａ１に記載された処理装置。
【０１７１】
（付記Ａ３）
前記温度調整手段がファンであり、前記温度調整用出力が前記少なくとも一部に送られる風である、付記Ａ２に記載された処理装置。
【０１７２】
（付記Ａ４）
前記温度調整手段が熱電変換素子であり、前記温度調整用出力が前記少なくとも一部に影響を及ぼす温度である、付記Ａ２に記載された処理装置。
【０１７３】
（付記Ａ５）
前記温度調整手段がペルチェ素子であり、前記温度調整用出力が前記少なくとも一部に影響を及ぼす温度である、付記Ａ２又は付記Ａ４に記載された処理装置。
【０１７４】
（付記Ａ６）
前記高域遮断処理が、前記温度制御手段が、前記温度制御手段に入力される通信用データ信号の信号平滑化を行う信号平滑化処理を含む、付記Ａ１乃至付記Ａ５のうちのいずれか一に記載された処理装置。
【０１７５】
（付記Ａ７）
前記高域遮断処理が、前記温度制御手段が、前記駆動手段又は前記駆動手段への入力前段において、前記温度制御手段に入力された通信用データ信号の信号平滑化を行う信号平滑化処理を含む、付記Ａ２乃至付記Ａ６のうちのいずれか一に記載された処理装置。
【０１７６】
（付記Ａ８）
前記高域遮断処理が、前記温度制御手段が、前記温度調整手段において、前記駆動電圧を前記温度調整用出力に変換する際に行われる前記温度調整用出力の平滑化処理を含む、付記Ａ２乃至付記Ａ７のうちのいずれか一に記載された処理装置。
【０１７７】
（付記Ａ９）
前記高域遮断処理が、自己が備える、前記通信用データ信号のマーク率を略半分にするマーク率均等化処理を含む、付記Ａ１乃至付記Ａ８のうちのいずれか一に記載された処理装置。
【０１７８】
（付記Ａ１０）
前記マーク率均等化処理が、前記通信用データ信号にマーク率が半分から大きくずれた信号になる文字又は記号が含まれること、を制限する処理を含む、付記Ａ９に記載された処理装置。
【０１７９】
（付記Ａ１１）
前記マーク率均等化処理が、前記通信用データ信号の元信号に対してスクランブル処理を行い、前記スクランブル処理後の信号を前記通信用データ信号にする処理を含む、付記９又は付記１０に記載された処理装置。
【０１８０】
（付記Ａ１２）
前記識別情報が、前記温度制御信号の前に設けられる、前記温度制御信号の開始を通知する開始情報を含む、付記Ａ１乃至付記Ａ１１のうちのいずれか一に記載された処理装置。
【０１８１】
（付記Ａ１３）
前記識別情報が、前記温度制御信号の終了を通知する終了情報を含む、付記Ａ１２に記載された制御装置。
【０１８２】
（付記Ａ１４）
自己が演算処理を行う機能を備える、付記Ａ１乃至付記Ａ１３のうちのいずれか一に記載された処理装置。
【０１８３】
（付記Ａ１５）
前記他の装置が演算処理を行う機能を備える、付記Ａ１乃至付記Ａ１４のうちのいずれか一に記載された処理装置。
【０１８４】
（付記Ａ１６）
前記駆動部が、前記温度制御信号の電圧と、基準電圧と、を入力信号とするコンパレータを備える、付記Ａ１乃至付記Ａ１５のうちのいずれか一（付記Ａ２を引用するものに限る。）に記載された処理装置。
【０１８５】
（付記Ａ１７）
前記駆動部が、前記温度制御信号を含む信号の電圧と、基準電圧と、を入力信号とするコンパレータを備える、付記Ａ１乃至付記Ａ１５のうちのいずれか一（付記Ａ２を引用するものに限る。）に記載された処理装置。
【０１８６】
（付記Ａ１８）
前記駆動部が、前記温度制御信号を含む信号の電圧と、前記他の装置から送られる信号と、を入力信号とするコンパレータを備える、付記Ａ１乃至付記Ａ１５のうちのいずれか一（付記Ａ２を引用するものに限る。）に記載された処理装置。
【０１８７】
（付記Ａ１９）
前記他の装置が、前記駆動部に対し第二の温度制御信号の送付を行う、付記Ａ１乃至付記１８に記載された処理装置。
【０１８８】
（付記Ａ２０）
前記送付が、自己が前記他の装置に対し通信用データを送付する際に行われる、付記Ａ１９に記載された処理装置。
【０１８９】
（付記Ａ２１）
前記他の装置に対し、前記駆動部に対し第二の温度制御信号の送付を行わせる、付記Ａ１９又は付記Ａ２０に記載された処理装置。
【０１９０】
（付記Ａ２２）
前記他の装置に対し、前記第二の温度制御信号の内容の少なくとも一部を指定する、付記Ａ１９乃至付記Ａ２１のうちのいずれか一に記載された処理装置。
【０１９１】
（付記Ｂ１）
付記Ａ１乃至付記Ａ２２のうちのいずれか一に記載された処理装置と、前記温度制御手段とを備える、処理システム。
【０１９２】
（付記Ｂ２）
前記他の装置をさらに備える、付記Ｂ１に記載された処理システム。
【０１９３】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【０１９４】
この出願は、２０１５年８月２５日に出願された日本出願特願２０１５−１６５９１８を基礎とする優先権を主張し、その開示の全てをここに取り込む。
【符号の説明】
【０１９５】
１、００１、１０１、２０１、４０１、５０１、６０１、９０１    処理装置
００２、００３、１０２、２０２、２０３、４０２、４０３、９０２、９０３    演算装置
００４、１０４、２０４、４０４、９０４    駆動装置
５０４、６０４    コンパレータ
００５、１０５、２０５    温度調整装置
２０６、５０６    電圧印加装置
０１１、０１２、０１３、０１４、０１５、１１１、１１２、１１３、２１１、２１２、２１３、４１１、４１２、４１３、５１１、５１２、５１３、５１４、５１５、６１１、６１２、６１３、６１４、６１５、９１１、９１２、９１３、９１４、９１５    端子
０２１、０２２、０２３、１２２ａ、１２２ｂ、１２２ｃ、１２３ｚ、１２３ａ、１２３ｚ、２２２ａ、２２２ｂ、２２２ｃ、２２２ｚ、２２３ａ、２２３ｚ、４２２ａ、４２２ｂ、４２２ｃ、４２２ｚ、４２３ａ、４２３ｂ、４２３ｃ、４２３ｚ、５２１ａ、５２１ｃ、５２２ａ、５２２ｃ、５２３、６２１ａ、６２１ｃ、６２２ａ、６２２ｃ、６２３、９２２ａ、９２２ｂ、９２２ｃ、９２３ｚ、９２３ａ、９２３ｚ    配線
１０９、２０９、４０９、９０９    温度制御装置
５３１、５３２、６３１、６３２、７５１、７５２    端部
５４１、６４１、７４１    グランド
０９１、１９１、２９１、４９１、５９１、６９１、９９１    処理システム
５５１、６５１    基体
６６１    温度センサ
１０６、９７１、９７２    信号平滑化装置
５０５、６０５、７０１    ペルチェ素子
７１１    下側導体
７１２    上側導体
７２１    Ｐ型半導体
７３１    Ｎ型半導体
８０１、８０２、８０３、８０４、８２１、８２２、８２３、８２４    通信用データ信号
８１１、８１２、８１３、８１４    温度制御信号
１６１、８６１、８６３    開始信号
１６２、８６２、８６４    終了信号
１２、１９５，２９５，４９５    温度制御信号生成部
１３、１９６、２９６、４９６    データ信号生成部
１４、１９７、２９７、４９７    生成部
１５    送付部
【図１】
2017033439.tif 000003
【図２】
2017033439.tif 000004
【図３】
2017033439.tif 000005
【図４】
2017033439.tif 000006
【図５】
2017033439.tif 000007
【図６】
2017033439.tif 000008
【図７】
2017033439.tif 000009
【図８】
2017033439.tif 000010
【図９】
2017033439.tif 000011
【図１０】
2017033439.tif 000012
【図１１】
2017033439.tif 000013
【図１２】
2017033439.tif 000014
【図１３】
2017033439.tif 000015
【図１４】
2017033439.tif 000016
【国際調査報告】
2017033439.tif 000017
2017033439.tif 000018